(57)【要約】      （修正有）【課題】ロールペーパーホルダーの両側の芯軸受け部分を渦巻き型の溝を形成して平面スプリングにすることにより、ロールペーパーを多方向からホルダーに容易に取り付けることができ、ロールペーパーを使い切って残った筒状ロール芯を多方向から容易に取り出すことができると共に、芯軸受け部分が一つの部品から構成されてホルダーの部品数を減らし、その組み付けも簡単に行うことができるロールペーパーホルダー用渦巻き型芯軸受けを提供する。【解決手段】平面状薄板２の中央部位に、ロールペーパーａの筒状ロール芯の端部から芯孔内に一部挿入してロールペーパーａを保持する凸部３を形成し、凸部３の外周に等間隔で複数の渦巻き型溝４を形成し、複数の渦巻き型溝４の間に位置し平面スプリングとして機能する複数の渦巻き型支持片５で中央部位の凸部３を板厚方向に弾性変形自在に支持した。【選択図】図５
0003186658.tif 000002
【実用新案登録請求の範囲】
【請求項１】
平面状薄板の中央部位に、ロールペーパーの中心部に設けられる筒状ロール芯の端部から芯孔内に一部挿入してロールペーパーを保持する凸部を形成し、凸部の外周に等間隔で複数の渦巻き型溝を形成し、複数の渦巻き型溝の間に位置し平面スプリングとして機能する複数の渦巻き型支持片で中央部位の凸部を板厚方向に弾性変形自在に支持したことを特徴とするロールペーパーホルダー用渦巻き型芯軸受け。
【請求項２】
平面状薄板の中央部位に、ロールペーパーの中心部に設けられる筒状ロール芯の端部から芯孔内に一部挿入してロールペーパーを保持する凸部を形成し、凸部の外周に等間隔で複数の渦巻き型溝を形成し、上記凸部のロールペーパー取り付け時に受け部となる箇所に筒状ロール芯の芯孔内の周上面側を回転自在に係止する係止面を形成し、上記凸部の係止面を除く側周面を凸部の突出する中央部に向かって傾斜する一部円錐台形状の滑り面に形成し、複数の渦巻き型溝の間に位置し平面スプリングとして機能する複数の渦巻き型支持片で中央部位の凸部を板厚方向に弾性変形自在に支持したことを特徴とするロールペーパーホルダー用渦巻き型芯軸受け。
【請求項３】
平面状薄板の中央部位に、ロールペーパーの中心部に設けられる筒状ロール芯の端部から芯孔内に一部挿入してロールペーパーを保持する凸部を形成し、凸部の外周に等間隔で複数の渦巻き型溝を形成し、上記凸部のロールペーパー取り付け時に受け部となる箇所に筒状ロール芯の芯孔内の周上面側を回転自在に係止する係止面を形成し、上記凸部の係止面を除く側周面を凸部の突出する中央部に向かって傾斜する一部円錐台形状の滑り面に形成し、複数の渦巻き型溝の間に位置し平面スプリングとして機能する複数の渦巻き型支持片で中央部位の凸部を板厚方向に弾性変形自在に支持すると共に、上記各渦巻き型支持片の片幅を片長さ方向で一定としたことを特徴とするロールペーパーホルダー用渦巻き型芯軸受け。
【考案の詳細な説明】
【技術分野】
【０００１】
この考案は、ロール状に巻かれているトイレットペーパー或いは台所用ペーパーなどを取り付けるロールペーパーホルダー用の芯軸受けの技術に係り、特に、ロールペーパーホルダーの両側の芯軸受け部分を渦巻き型の溝を形成して平面スプリングにすることにより、ロールペーパーを多方向からホルダーに容易に取り付けることができ、またロールペーパーを使い切って残った筒状ロール芯を多方向から容易に取り出すことができると共に、芯軸受け部分が一つの部品から構成されるロールペーパーホルダー用渦巻き型芯軸受けに関するものである。
【背景技術】
【０００２】
一般的なトイレットペーパーホルダーは、例えば、ロールペーパーの中心部分の筒状ロール芯を挿通するロール軸の両側を支持して受ける軸受けが両側に設けられ、その上方側にロールペーパーを上側から押さえ、且つその先端が切断刃になっている切断押え蓋の構造からなっている。
このロール軸はその軸芯方向に対してはその長さが伸縮する構造になっている。ロール軸は大小の円筒体を嵌め合わせたものからなり、その内部にはスプリングバネが取り付けられていて、スプリングバネの付勢力によって、ロール軸の両端は両側の軸受けに向けて押圧して外れないようになっている。
そして、新しいロールペーパーをトイレットペーパーホルダーに取り付ける場合は、切断押え蓋を上側に開き、ロールペーパーを使い切って残った筒状ロール芯が装着されているロール軸を軸受けから外す。このロール軸を軸受けから外す場合には、どちらか一方の軸芯方向に向けてロール軸を押すと、内部のスプリングバネが縮んで、ロール軸の長さを縮小して本体側の左右の軸受け間隔より一時的に小さくなるので、残った筒状ロール芯が装着されているロール軸を軸受けから外すことができる。軸受けからロール軸を外すと、内部のスプリングバネが弾性復帰するので、縮小していたロール軸は元の長さに戻る。
また、ロール軸から筒状ロール芯を取り外した後に、新しいロールペーパーの中心部の筒状ロール芯にロール軸を挿通させ、上記と同様に、どちらか一方の軸芯方向に向けてロール軸を押して一時的にロール軸の長さを縮小して、ロールペーパーが取り付けられたロール軸の両側を本体側の軸受けで軸支させ、上に開いていた切断押え蓋を倒してロールペーパーの表面側を押さえるようにすることで、取り付け作業は終わる。
【０００３】
これ以外のトイレットペーパーホルダーとしては、ロールペーパーの中心部分の筒状ロール芯に、その両側から挟むようにしてその内部に挿入する片持ち軸受けが左右にそれぞれ設けられ、その上方側にロールペーパーを上側から押さえ、且つその先端が切断刃になっている切断押え蓋の構造からなっている。片持ち軸受けは水平状態から上向きに可動する構造になっている。
新しいロールペーパーをトイレットペーパーホルダーに取り付ける場合は、切断押え蓋を上側に開き、ロールペーパーを使い切って残った筒状ロール芯を上向きに押し上げると、左右の片持ち軸受けは上側に傾きながら可動して、筒状ロール芯を簡単に取り外すことができる。その後、新しいロールペーパーは下側から上向きに押し上げると、左右の片持ち軸受けは上側に可動して開いた後、復帰バネの働きによって、元の水平状態に戻る時に、左右の片持ち軸受けはその先端側がそれぞれ左右からロールペーパーの筒状ロール芯の内部に挿入されることで、新しいロールペーパーを簡単にトイレットペーパーホルダーに取り付けることができる。
【考案の概要】
【考案が解決しようとする課題】
【０００４】
ところで、これらの一般的なトイレットペーパーホルダーにあっては、手が不自由なく使える場合には、ロールペーパーの交換作業に何ら支障はなく問題がない。しかし、手が不自由である場合には事情が一変する。即ち、前記の第一番目に述べた構造のトイレットペーパーホルダーにあっては、手が不自由の場合には、ロール軸を片方の軸芯方向に向けて押圧して、ロール軸を縮小させることは大変であり、ロールペーパーの交換作業は非常に困難となる。又この構造にあっては、ロール軸には大小の円筒体と、内装されるスプリングバネの合計３個の部品を少なくとも必要とし、その組み付けも簡単とは云えない嫌いがある。
【０００５】
また、二番目の構造にあっては、ロールペーパーの取り付け方向及びロールペーパーを使い切って残った筒状ロール芯の取り外し方向は、上向きの一つ方向に限定されていて、それ以外の方向からの取り付け及び取り外しができない。又この構造にあっては、片持ち軸受け２個と、復帰バネ２個の部品を少なくとも必要とし、その組み付けも簡単とは云えない嫌いがある。
【０００６】
この考案は、上記のような課題に鑑み、その課題を解決すべく創案されたものであって、その目的とするところは、ロールペーパーホルダーの両側の芯軸受け部分を渦巻き型の溝を形成して平面スプリングにすることにより、ロールペーパーを多方向からホルダーに容易に取り付けることができ、またロールペーパーを使い切って残った筒状ロール芯を多方向から容易に取り出すことができると共に、芯軸受け部分が一つの部品から構成されてホルダーの部品数を減らし、その組み付けも簡単に行うことのできるロールペーパーホルダー用渦巻き型芯軸受けを提供することにある。
【課題を解決するための手段】
【０００７】
以上の課題を達成するために、請求項１の考案は、平面状薄板の中央部位に、ロールペーパーの中心部に設けられる筒状ロール芯の端部から芯孔内に一部挿入してロールペーパーを保持する凸部を形成し、凸部の外周に等間隔で複数の渦巻き型溝を形成し、複数の渦巻き型溝の間に位置し平面スプリングとして機能する複数の渦巻き型支持片で中央部位の凸部を板厚方向に弾性変形自在に支持した手段よりなるものである。
【０００８】
また、請求項２の考案は、平面状薄板の中央部位に、ロールペーパーの中心部に設けられる円筒状ロール芯の端部から芯孔内に一部挿入してロールペーパーを保持する凸部を形成し、凸部の外周に等間隔で複数の渦巻き型溝を形成し、上記凸部のロールペーパー取り付け時に上部側となる箇所に円筒状ロール芯の芯孔内の周上面側を係止する係止面を形成し、上記凸部の上部側の係止面を除く側周面を凸部の中央部に向かって傾斜する一部円錐台形状に形成し、複数の渦巻き型溝の間に位置し平面スプリングとして機能する複数の渦巻き型支持片で中央部位の凸部を板厚方向に弾性変形自在に支持した手段よりなるものである。
【０００９】
また、請求項３の考案は、平面状薄板の中央部位に、ロールペーパーの中心部に設けられる円筒状ロール芯の端部から芯孔内に一部挿入してロールペーパーを保持する凸部を形成し、凸部の外周に等間隔で複数の渦巻き型溝を形成し、上記凸部のロールペーパー取り付け時に上部側となる箇所に円筒状ロール芯の芯孔内の周上面側を係止する係止面を形成し、上記凸部の上部側の係止面を除く側周面を凸部の中央部に向かって傾斜する一部円錐台形状に形成し、複数の渦巻き型溝の間に位置し平面スプリングとして機能する複数の渦巻き型支持片で中央部位の凸部を板厚方向に弾性変形自在に支持すると共に、上記各渦巻き型支持片の片幅を片長さ方向で一定とした手段よりなるものである。
【考案の効果】
【００１０】
課題を解決するための手段よりなる請求項１〜請求項３の考案に係るロールペーパーホルダー用渦巻き型芯軸受けによれば、平面状薄板の中央部位に、ロールペーパーの中心部に設けられる筒状ロール芯の端部から芯孔内に一部挿入してロールペーパーを保持する凸部を形成し、凸部の外周に等間隔で複数の渦巻き型溝を形成し、複数の渦巻き型溝の間に位置し平面スプリングとして機能する複数の渦巻き型支持片で中央部位の凸部を板厚方向に弾性変形自在に支持することにより、ロールペーパーを多方向からホルダーに容易に取り付けることができ、またロールペーパーを使い切って残った筒状ロール芯を多方向から容易に取り出すことができると共に、芯軸受け部分が一つの部品から構成されてホルダーの部品数を減らし、その組み付けも簡単に行うことができる等、極めて実用的有益なる効果を奏するものである。
【図面の簡単な説明】
【００１１】
【図１】この考案を実施するための形態を示すロールペーパーホルダー用渦巻き型芯軸受けを左右に取り付けたときの全体斜視図である。
【図２】この考案を実施するための形態を示すロールペーパーホルダー用渦巻き型芯軸受けの正面図である。
【図３】（Ａ）はこの考案を実施するための形態を示すロールペーパーホルダー用渦巻き型芯軸受けの側面図、同図（Ｂ）は同渦巻き型芯軸受けの変形時の側面図、同図（Ｃ）は同渦巻き型芯軸受けの側断面図である。
【図４】（Ａ）はこの考案を実施するための形態を示すロールペーパーホルダー用渦巻き型芯軸受けの平面図、同図（Ｂ）は同渦巻き型芯軸受けの変形時の平面図、同図（Ｃ）は同渦巻き型芯軸受けの平断面図である。
【図５】この考案を実施するための形態を示す左右のロールペーパーホルダー用渦巻き型芯軸受けにロールペーパーを取り付けたときの全体斜視図である。
【図６】この考案を実施するための形態を示すロールペーパーホルダー用渦巻き型芯軸受けにロールペーパーを取り付けたときの正面図である。
【図７】この考案を実施するための形態を示す左右のロールペーパーホルダー用渦巻き型芯軸受けにロールペーパーを下方から取り付けたときの説明図である。
【図８】この考案を実施するための形態を示す左右のロールペーパーホルダー用渦巻き型芯軸受けにロールペーパーを前方から取り付けたときの説明図である。
【図９】この考案を実施するための形態を示す左右のロールペーパーホルダー用渦巻き型芯軸受けにロールペーパーを後方から取り付けたときの説明図である。
【図１０】この考案を実施するための形態を示す左右のロールペーパーホルダー用渦巻き型芯軸受けから筒状ロール芯を上方に取り外すときの説明図である。
【図１１】この考案を実施するための形態を示す左右のロールペーパーホルダー用渦巻き型芯軸受けから筒状ロール芯を前方に取り外すときの説明図である。
【図１２】この考案を実施するための形態を示す左右のロールペーパーホルダー用渦巻き型芯軸受けから筒状ロール芯を後方に取り外すときの説明図である。
【考案を実施するための形態】
【００１２】
以下、図面に記載の考案を実施するための形態に基づいて、この考案をより具体的に説明する。
【００１３】
図において、ロールペーパーホルダー用渦巻き型芯軸受け１は、ロール状に巻かれてトイレットペーパー或いは台所用ペーパーなどとして使用されるロールペーパーａの巻かれた表面から使用したい長さのペーパーｂを容易に引き出せ、しかも、ロールペーパーａの取り付け及び使い切った後に残るペーパーｂを巻き付けていた筒状ロール芯ｃの取り外しを容易に行うことができるもので、ロールペーパーａの中心部分の例えば円筒形の筒状ロール芯ｃの両端側をそれぞれ両側から挟んで、ロールペーパーａを回転自在に保持するものである。
【００１４】
ロールペーパーホルダー用渦巻き型芯軸受け１は、例えばプラスチック製板或いはステンレスなどの金属製板が使用され、力を加えると弾性変形し、力を取り除くと元の状態に弾性復帰する平面状薄板２からなる。平面状薄板２は数ミリの厚み、例えば１〜３mm前後である。
【００１５】
ロールペーパーホルダー用渦巻き型芯軸受け１を構成する平面状薄板２の中央部位には、ロールペーパーａの中心部に設けられる筒状ロール芯ｃの端部から芯孔内に一部挿入してロールペーパーａを保持する凸部３が形成されている。凸部３は例えば薄板の裏面側が表面側に押し上げられた形状からなっていて、重くならないように配慮されている。
【００１６】
このため、凸部３はプラスチック製板の場合には裏面側から表面側に向けて押し上げられた形状の型枠を使用して一体成形される。また、凸部３は金属製板の場合にはプレス機械により裏面側から表面側に向けて押し上げられて一体成形される。
【００１７】
凸部３の受け部側例えばロールペーパーａの取り付け時に上部側となる箇所には、筒状ロール芯ｃの芯孔内の周上面側を回転自在に係止する係止面３１が形成されている。係止面３１は水平に近い傾きを有している。ただ、凸部３は一体成形されるため、型抜きし易いように、係止面３１は前方に向けて僅かに傾斜している。
【００１８】
ロールペーパーａは、中心部の筒状ロール芯ｃの両端側の芯孔内の周上面側が、左右に配置されたロールペーパーホルダー用渦巻き型芯軸受け１の平面状薄板２の凸部３の上部に形成された係止面３１にそれぞれ係止されることにより、このロールペーパーａを下向きに押圧しても左右の凸部３から外れることがない。
【００１９】
凸部３は、その受け部側の係止面３１を除く側周面の全域が凸部３の突出する中央部３２に向かって傾斜する一部円錐台形状の滑り面３３に形成されている。つまり、左右の滑り面３３は中央部３２に向かってそれぞれ傾斜してその両幅間隔がテーパー状に狭くなっている。同様に下部側及びその両側の斜め下部側は、は中央部３２に向かってそれぞれ斜め上向きに傾斜して両幅間隔がテーパー状に狭くなっている。
【００２０】
この滑り面３３は、ロールペーパーａの最外周縁や筒状ロール芯ｃの芯孔周縁が当接し、凸部３が後述の渦巻き型溝４及び渦巻き型支持片５によって、全体的に平面状薄板２の板厚側に後退するときに、ロールペーパーａの最外周縁や筒状ロール芯ｃの芯孔周縁が滑り面３３の表面を滑りながら押し広げられる面である。この滑り面３３を利用して左右の凸部３の間隔を押し広げることで、ロールペーパーａは取り付けられ、筒状ロール芯ｃは取り外されるのである。
【００２１】
図では、係止面３１は受け部側となる凸部３の上部側に形成され、それ以外は全て滑り面３３となっており、前後方向、下方向、前斜め下方向及び後斜め下向きの何れの方向からも、ロールペーパーａを取り付けることが可能となり、又、前後方向、上方向、前斜め上方向及び後斜め上向きの何れの方向からも、筒状ロール芯ｃを取り外すことが可能となり、従来のこの種のペーパーホルダーに比べて、取り付け方向及び取り外し方向が格段に広くなっている。
【００２２】
このように、凸部３は、ロールペーパーａの筒状ロール芯ｃの芯孔内を支える受け部側の係止面３１が、確実にロールペーパーａを支えてこれが外れることがないようにする一方で、この係止面３１を除く側周面の全域の滑り面３３を利用してロールペーパーａがこの凸部３に取り付けられ、或いはペーパーｂを使い切った後に残った筒状ロール芯ｃをこの滑り面３３を利用して取り外すことができるようになっている。
【００２３】
係止面３１と滑り面３３が形成された凸部３の外周には、等間隔で複数の渦巻き型溝４が形成されている。又複数の渦巻き型溝４同士の間には渦巻き型支持片５が位置する構成になっている。つまり、凸部３の外周は渦巻き型溝４と渦巻き型支持片５が交互に形成されていて、平面状薄板２の中央部位の凸部３は複数の渦巻き型支持片５で、板厚方向に弾性変形自在に支持されている。この渦巻き型溝４によって渦巻き型支持片５は平面スプリングとして機能することになる。凸部３を支持する各渦巻き型支持片５はその基端側が平面状薄板２の周縁側に一体的に結合されている。
【００２４】
ロールペーパーａの中心部の筒状ロール芯ｃを両側から支える凸部３は、複数の渦巻き型支持片５により支持され、又その弾性変形によって板厚方向に後退して、ロールペーパーａの取り付け及び筒状ロール芯ｃの取り外しを可能し、さらに、その取り付け及び取り外し方向を格段に広げている。
【００２５】
平面状薄板２の中央部位の凸部３を板厚方向に弾性変形自在に支持し、平面スプリングとして機能する複数の渦巻き型支持片５は、片幅が片長さ方向で一定になるように形成されている。各渦巻き型支持片５の片幅が一定になるように、各渦巻き型支持片５の両側の渦巻き型溝４の溝幅が調整される。片幅を片長さ方向で同一の一定にすることで、片長さ方向の全域に力が分散されて、平面スプリングとして均等に弾性変形することになるからである。片幅に大小の相違があると、片幅の狭い部分に力が集中して均等に弾性変形しないのである。
【００２６】
平面スプリングとして機能するこの複数の渦巻き型支持片５は、その間に形成された複数の渦巻き型溝４によって、現出されたものである。しかも、ロールペーパーａの支持及び着脱を、一体成形が容易な凸部３と渦巻き型溝４との組み合わせた１つの部品で実現している。
【００２７】
次に、上記考案を実施するための形態の構成に基づく作用について以下説明する。
ロールペーパーホルダー用渦巻き型芯軸受け１は左右一対で使用されるもので、例えば、図１、図５に示すような基盤１１に固定される。図１、図５では、基盤１１が後部側に設けられているが、これに限定されるものではなく、下部側あるいは上部側に設けられることも考えられる。基盤１１が下部側に設置される場合には、ロールペーパーホルダー用渦巻き型芯軸受け１は盤上に上向きに固定されて、下部側を除く、前後部及び上部側が開放される。基盤１１が上部側に設置される場合には、ロールペーパーホルダー用渦巻き型芯軸受け１は盤の下面に下向きに固定されて、上部側を除く、前後部及び下部側が開放される。
【００２８】
また、図１、図５では、ロールペーパーホルダー用渦巻き型芯軸受け１の凸部３の係止面３１は、凸部３の上部側に形成されているが、ロールペーパーａの受け部側が上部側でない場合には、その受け部側に合わせて凸部３の係止面３１の位置も変わるようにロールペーパーホルダー用渦巻き型芯軸受け１を基盤１１に固定する。例えば、使用態様によって、ロールペーパーａの受け部側が後部側に向く場合には、凸部３の係止面３１が後部側に向くように、ロールペーパーホルダー用渦巻き型芯軸受け１を基盤１１に固定する。
【００２９】
図７〜図１２に示すように、仮にロールペーパーホルダー用渦巻き型芯軸受け１の平面状薄板２の凸部３の係止面３１が上部側に位置するように基盤１１に固定されている場合には、この左右のロールペーパーホルダー用渦巻き型芯軸受け１へのロールペーパーａの取り付け及び使い切った後に残った筒状ロール芯ｃの取り外しは、次のようにして行われる。
【００３０】
図７は、新しいロールペーパーａを下方から取り付ける場合を例示している。ロールペーパーａを上向きに押し上げると、ロールペーパーａの最外周上端側のペーパーｂの両端部分が左右の凸部３の下部側の滑り面３３に当接する。さらに、そのまま押し上げを続けると、最外周上端側のペーパーｂの両端部分が滑り面３３に沿って滑ることになるが、この滑り面３３が下部に形成されている左右の凸部３は、平面スプリングとして機能する渦巻き型支持片５の弾性変形によって、平面状薄板２の板厚側に後退し始め、左右の凸部３の両間隔は徐々に拡がって行く。ロールペーパーａの最外周上端側のペーパーｂの両端部分が左右の凸部３の中央部３２に達すると、左右の凸部３の後退は止まる。
【００３１】
その間も、ロールペーパーａを押し上げ続けて、ロールペーパーａの中心部の筒状ロール芯ｃが左右の凸部３の中央部３２の部分に達すると、凸部３の中央部３２は平面スプリングとして機能する渦巻き型支持片５の弾性復帰力によって、筒状ロール芯ｃの左右の筒孔内に挿入される。これにより、ロールペーパーａは左右の凸部３によって、支持されることになる。
【００３２】
図８は、新しいロールペーパーａを前方から取り付ける場合を例示している。ロールペーパーａを前方から後方に向けて押し続けると、ロールペーパーａの最外周後端側のペーパーｂの両端部分が左右の凸部３の側部側の滑り面３３に当接する。さらに、そのまま押し続けると、最外周後端側のペーパーｂの両端部分が滑り面３３に沿って滑ることになるが、この滑り面３３が側部に形成されている左右の凸部３は、平面スプリングとして機能する渦巻き型支持片５の弾性変形によって、平面状薄板２の板厚側に後退し始め、左右の凸部３の両間隔は徐々に拡がって行く。ロールペーパーａの最外周後端側のペーパーｂの両端部分が左右の凸部３の中央部３２に達すると、左右の凸部３の後退は止まる。
【００３３】
その間も、ロールペーパーａを後方に向けて押し続けて、ロールペーパーａの中心部の筒状ロール芯ｃが左右の凸部３の中央部３２の部分に達すると、凸部３の中央部３２は平面スプリングとして機能する渦巻き型支持片５の弾性復帰力によって、筒状ロール芯ｃの左右の筒孔内に挿入される。これにより、ロールペーパーａは左右の凸部３によって、支持されることになる。
【００３４】
図９は、新しいロールペーパーａを後方から取り付ける場合を例示している。これはロールペーパーａが台所用ペーパーの場合で、例えば上方から吊り下げられた左右のロールペーパーホルダー用渦巻き型芯軸受け１で保持されて、後方に十分なスペースがあったり、前後方向から使用可能になっているときである。ロールペーパーａを後方から前方に向けて押し続けると、ロールペーパーａの最外周前端側のペーパーｂの両端部分が左右の凸部３の側部側の滑り面３３に当接する。さらに、そのまま押し続けると、最外周前端側のペーパーｂの両端部分が滑り面３３に沿って滑ることになるが、この滑り面３３が側部に形成されている左右の凸部３は、平面スプリングとして機能する渦巻き型支持片５の弾性変形によって、平面状薄板２の板厚側に後退し始め、左右の凸部３の両間隔は徐々に拡がって行く。ロールペーパーａの最外周前端側のペーパーｂの両端部分が左右の凸部３の中央部３２に達すると、左右の凸部３の後退は止まる。
【００３５】
その間も、ロールペーパーａを前方に向けて押し続けて、ロールペーパーａの中心部の筒状ロール芯ｃが左右の凸部３の中央部３２の部分に達すると、凸部３の中央部３２は平面スプリングとして機能する渦巻き型支持片５の弾性復帰力によって、筒状ロール芯ｃの左右の筒孔内に挿入される。これにより、ロールペーパーａは左右の凸部３によって、支持されることになる。
【００３６】
図１０は、使い切った筒状ロール芯ｃをロールペーパーホルダー用渦巻き型芯軸受け１の上方から取り外す場合を例示している。筒状ロール芯ｃを上向きに押し上げると、筒状ロール芯ｃの芯孔周縁下端側の両端部分が左右の凸部３の下部側の滑り面３３に当接する。さらに、そのまま押し上げを続けると、筒状ロール芯ｃの芯孔周縁下端側の両端部分が滑り面３３に沿って滑ることになるが、この滑り面３３が下部に形成されている左右の凸部３は、平面スプリングとして機能する渦巻き型支持片５の弾性変形によって、平面状薄板２の板厚側に後退し始め、左右の凸部３の両間隔は徐々に拡がって行く。筒状ロール芯ｃの芯孔周縁下端側の両端部分が左右の凸部３の中央部３２に達すると、左右の凸部３の後退は止まる。
【００３７】
その間も、筒状ロール芯ｃを押し上げ続けて、筒状ロール芯ｃの芯孔周縁の両端部分が左右の凸部３の中央部３２から離脱することにより、筒状ロール芯ｃをこのロールペーパーホルダー用渦巻き型芯軸受け１から取り外すことができる。また、筒状ロール芯ｃが左右の凸部３の中央部３２から離脱して外れると、凸部３の中央部３２は平面スプリングとして機能する渦巻き型支持片５の弾性復帰力によって、元の状態に戻ることになる。
【００３８】
図１１は、使い切った筒状ロール芯ｃをロールペーパーホルダー用渦巻き型芯軸受け１の前方から取り外す場合を例示している。筒状ロール芯ｃを前向きに引っ張ると、筒状ロール芯ｃの芯孔周縁後端側の両端部分が左右の凸部３の側部側の滑り面３３に当接する。さらに、そのまま引っ張り続けると、筒状ロール芯ｃの芯孔周縁後端側の両端部分が滑り面３３に沿って滑ることになるが、この滑り面３３が側部に形成されている左右の凸部３は、平面スプリングとして機能する渦巻き型支持片５の弾性変形によって、平面状薄板２の板厚側に後退し始め、左右の凸部３の両間隔は徐々に拡がって行く。筒状ロール芯ｃの芯孔周縁後端側の両端部分が左右の凸部３の中央部３２に達すると、左右の凸部３の後退は止まる。
【００３９】
その間も、筒状ロール芯ｃを引っ張り続けて、筒状ロール芯ｃの芯孔周縁の両端部分が左右の凸部３の中央部３２から離脱することにより、筒状ロール芯ｃをこのロールペーパーホルダー用渦巻き型芯軸受け１から取り外すことができる。また、筒状ロール芯ｃが左右の凸部３の中央部３２から離脱して外れると、凸部３の中央部３２は平面スプリングとして機能する渦巻き型支持片５の弾性復帰力によって、元の状態に戻ることになる。
【００４０】
図１２は、使い切った筒状ロール芯ｃをロールペーパーホルダー用渦巻き型芯軸受け１の後方から取り外す場合を例示している。筒状ロール芯ｃを後向きに押し続けると、筒状ロール芯ｃの芯孔周縁前端側の両端部分が左右の凸部３の側部側の滑り面３３に当接する。さらに、そのまま押し続けると、筒状ロール芯ｃの芯孔周縁前端側の両端部分が滑り面３３に沿って滑ることになるが、この滑り面３３が側部に形成されている左右の凸部３は、平面スプリングとして機能する渦巻き型支持片５の弾性変形によって、平面状薄板２の板厚側に後退し始め、左右の凸部３の両間隔は徐々に拡がって行く。筒状ロール芯ｃの芯孔周縁前端側の両端部分が左右の凸部３の中央部３２に達すると、左右の凸部３の後退は止まる。
【００４１】
その間も、筒状ロール芯ｃを押し続けて、筒状ロール芯ｃの芯孔周縁の両端部分が左右の凸部３の中央部３２から離脱することにより、筒状ロール芯ｃをこのロールペーパーホルダー用渦巻き型芯軸受け１から取り外すことができる。また、筒状ロール芯ｃが左右の凸部３の中央部３２から離脱して外れると、凸部３の中央部３２は平面スプリングとして機能する渦巻き型支持片５の弾性復帰力によって、元の状態に戻ることになる。
【００４２】
なお、この考案は上記考案を実施するための形態に限定されるものではなく、この考案の精神を逸脱しない範囲で種々の改変をなし得ることは勿論である。
【符号の説明】
【００４３】
１    ロールペーパーホルダー用渦巻き型芯軸受け
１１    基盤
２    平面状薄板
３    凸部
３１    係止面
３２    中央部
３３    滑り面
４    渦巻き型溝
５    渦巻き型支持片
ａ    ロールペーパー
ｂ    ペーパー
ｃ    筒状ロール芯
【図１】
0003186658.tif 000003
【図２】
0003186658.tif 000004
【図３】
0003186658.tif 000005
【図４】
0003186658.tif 000006
【図５】
0003186658.tif 000007
【図６】
0003186658.tif 000008
【図７】
0003186658.tif 000009
【図８】
0003186658.tif 000010
【図９】
0003186658.tif 000011
【図１０】
0003186658.tif 000012
【図１１】
0003186658.tif 000013
【図１２】
0003186658.tif 000014